(57)【要約】【課題】測定処理を停止させることなく、実行中の測定処理についての測定値が記録された測定値データファイルを外部装置に出力可能とする。【解決手段】処理部１６が、データファイルＤｆへの第３処理による測定値Ｄｓの記録を終了する予め規定された終了条件が満たされる以前にデータファイルＤｆのメモリカード２への記録を指示されたときに、測定部１１から順次出力される測定値Ｄｓを内部メモリ１５に記憶させる第２処理を継続して実行しつつ、出力を指示されたデータファイルＤｆへの第３処理による測定値Ｄｓの記録を終了してデータファイルＤｆをメモリカード２に記録すると共に、出力したデータファイルＤｆへの記録を完了していない測定値Ｄｓを記録するための新たなデータファイルＤｆを生成する第１処理を実行する。【選択図】図１
2019074393.tif 000002
【特許請求の範囲】
【請求項１】
記憶部と、
測定値を記録する測定値データファイルを生成して前記記憶部に記憶させる第１処理、測定装置から順次出力される前記測定値を前記記憶部に記憶させる第２処理、および予め規定された記録条件が満たされたときに前記記憶部に記憶されている前記測定値を前記測定値データファイルに記録する第３処理を実行可能な処理部とを備えたデータ記録装置であって、
前記処理部は、前記測定値データファイルへの前記第３処理による前記測定値の記録を終了する予め規定された終了条件が満たされる以前に当該測定値データファイルの外部装置への出力を指示されたときに、前記第２処理を継続して実行しつつ、出力を指示された当該測定値データファイルへの当該第３処理による当該測定値の記録を終了して当該測定値データファイルを当該外部装置に出力すると共に、出力した当該測定値データファイルへの記録を完了していない前記測定値を記録するための新たな前記測定値データファイルを生成する前記第１処理を実行するデータ記録装置。
【請求項２】
前記処理部は、予め規定された数の前記測定値の前記第２処理による前記記憶部への記憶を完了する都度、当該第２処理を継続して実行しつつ、前記記録条件が満たされたと判別して前記第３処理を実行し、かつ前記終了条件が満たされる以前に前記測定値データファイルの前記外部装置への出力を指示されたときに、前記第２処理を継続して実行しつつ、前記予め規定された数の前記測定値の前記記憶部への記憶を完了した時点において前記記録条件が満たされたと判別して前記第３処理を実行した後に、出力を指示された当該測定値データファイルへの当該第３処理による前記測定値の記録を終了して当該測定値データファイルを当該外部装置に出力すると共に、前記新たな測定値データファイルを生成する前記第１処理を実行する請求項１記載のデータ記録装置。
【請求項３】
前記処理部は、前記第３処理による前記測定値の記録を終了した前記測定値データファイルと、その後の前記第１処理によって生成した前記新たな測定値データファイルとの少なくとも一方に対して当該両測定値データファイルを相互に関連付ける関連付け情報を付与する請求項１または２記載のデータ記録装置。
【請求項４】
前記処理部は、出力を指示された前記測定値データファイルの前記外部装置への出力と共に前記新たな測定値データファイルを生成する前記第１処理において、当該新たな測定値データファイルに記録する前記測定値の直前に出力された前記測定値を記録した前記測定値データファイルに記録されているすべての前記測定値を当該新たな測定値データファイルに記録する請求項１から３のいずれかに記載のデータ記録装置。
【請求項５】
請求項１から４のいずれかに記載のデータ記録装置と、前記測定装置とを備え、当該測定装置から出力される前記測定値を当該データ記録装置によって前記測定値データファイルに記録して前記外部装置に出力可能に構成されている測定システム。
【発明の詳細な説明】
【技術分野】
【０００１】
本発明は、測定装置から出力される測定値を測定値データファイルに記録するデータ記録装置、およびそのようなデータ記録装置と測定装置とを備えて構成された測定システムに関するものである。
【背景技術】
【０００２】
出願人は、測定装置と、測定装置から送信された測定データを受信して記録する測定データ回収装置（以下、単に「回収装置」ともいう）とを備えた測定データ記録システム（以下、単に「記録システム」ともいう）の発明を下記の特許文献に開示している。
【０００３】
この記録システムでは、例えば測定対象の温度を所定時間間隔で測定して記録する際に、まず、測定装置が、予め設定された条件に従って温度測定処理を実施する。この際に、測定装置では、測定部が予め設定された条件に基づいて例えば１秒間隔で温度測定を実行して測定値を出力し、制御部が測定部から出力される測定値に基づいて測定データを生成して記憶部に記憶させる処理を実行する。
【０００４】
また、この記録システムでは、測定装置の記憶部に、ある程度の数の測定データが記憶されたときに、測定装置から回収装置に測定データを送信させて回収装置の記憶部に記憶させ、一連の測定処理についてのすべての測定データが回収装置の記憶部に記憶されたときに、これらの測定データを１つにまとめた測定データ（測定データファイル：以下「データファイル」ともいう）が生成されて回収装置のハードディスクドライブに記録される構成が採用されている。これにより、この記録システムでは、回収装置内のデータファイルを利用した各種の分析処理などを実行することが可能となっている。
【先行技術文献】
【特許文献】
【０００５】
【特許文献１】特開２０１３−２４６１４１号公報（第５−１２頁、第１−９図）
【発明の概要】
【発明が解決しようとする課題】
【０００６】
ところが、上記特許文献に開示の記録システムには、以下のような改善すべき課題が存在する。
【０００７】
具体的には、上記特許文献に開示の記録システムでは、測定装置から測定データ（測定値を示すデジタルデータ）を回収装置に送信し、回収装置において各測定データを１つにまとめてデータファイルを生成する構成が採用されている。このため、出願人が開示している記録システムでは、各測定データをまとめてデータファイルを生成する処理を実行可能な専用の回収装置が必要となっており、例えば、リムーバブルメモリを介して測定装置から回収した測定結果を汎用のパーソナルコンピュータ等で参照したり分析したりするといった運用が困難となっている。
【０００８】
そこで、出願人は、各測定データからデータファイルを生成する処理を実行可能に測定装置を改良し、データファイルの形式で測定装置から外部装置に測定結果を出力可能なシステムを開発した。これにより、リムーバブルメモリや、無線通信および有線通信等の通信路などを介して測定装置から外部装置にデータファイルを出力させて、そのデータファイルを利用した各種の分析処理などを実行することが可能となった。
【０００９】
しかしながら、出願人が開発した上記のシステムでは、測定装置において、測定部から順次出力される測定値を記憶部に記憶させる処理と並行して、各測定値（各測定値の測定データ）を記録してデータファイルを生成する処理を実行する構成が採用されている。したがって、測定処理の実行中、すなわち、測定部から出力される測定値を記録してデータファイルを生成している最中に、そのデータファイルを外部装置に出力することが困難となっており、測定処理が完了するまで、その測定結果を示すデータファイルを回収することができないという課題が存在する。
【００１０】
この場合、測定処理が終了する以前にデータファイルの回収を希望するときには、測定処理を一旦停止させ、停止時点までの測定値が記録されたデータファイルを外部装置に出力させた後に、測定処理を再開させるといった使用方法が考えられる。しかしながら、そのような使用方法では、測定処理を停止させてから再開させるまでの間の測定値を記録することができず、測定処理の目的によっては、測定値を得られない空白の時間が生じることが許容されないこともあるため、上記のような課題の有効な改善策とはなり得ない。
【００１１】
本発明は、かかる改善すべき課題に鑑みてなされたものであり、測定装置による測定処理を停止させることなく、実行中の測定処理についての測定値が記録された測定値データファイルを外部装置に出力し得るデータ記録装置、およびそのようなデータ記録装置を備えた測定システムを提供することを主目的とする。
【課題を解決するための手段】
【００１２】
上記目的を達成すべく、請求項１記載のデータ記録装置は、記憶部と、測定値を記録する測定値データファイルを生成して前記記憶部に記憶させる第１処理、測定装置から順次出力される前記測定値を前記記憶部に記憶させる第２処理、および予め規定された記録条件が満たされたときに前記記憶部に記憶されている前記測定値を前記測定値データファイルに記録する第３処理を実行可能な処理部とを備えたデータ記録装置であって、前記処理部は、前記測定値データファイルへの前記第３処理による前記測定値の記録を終了する予め規定された終了条件が満たされる以前に当該測定値データファイルの外部装置への出力を指示されたときに、前記第２処理を継続して実行しつつ、出力を指示された当該測定値データファイルへの当該第３処理による当該測定値の記録を終了して当該測定値データファイルを当該外部装置に出力すると共に、出力した当該測定値データファイルへの記録を完了していない前記測定値を記録するための新たな前記測定値データファイルを生成する前記第１処理を実行する。
【００１３】
請求項２記載のデータ記録装置は、請求項１記載のデータ記録装置において、前記処理部は、予め規定された数の前記測定値の前記第２処理による前記記憶部への記憶を完了する都度、当該第２処理を継続して実行しつつ、前記記録条件が満たされたと判別して前記第３処理を実行し、かつ前記終了条件が満たされる以前に前記測定値データファイルの前記外部装置への出力を指示されたときに、前記第２処理を継続して実行しつつ、前記予め規定された数の前記測定値の前記記憶部への記憶を完了した時点において前記記録条件が満たされたと判別して前記第３処理を実行した後に、出力を指示された当該測定値データファイルへの当該第３処理による前記測定値の記録を終了して当該測定値データファイルを当該外部装置に出力すると共に、前記新たな測定値データファイルを生成する前記第１処理を実行する。
【００１４】
請求項３記載のデータ記録装置は、請求項１または２記載のデータ記録装置において、前記処理部は、前記第３処理による前記測定値の記録を終了した前記測定値データファイルと、その後の前記第１処理によって生成した前記新たな測定値データファイルとの少なくとも一方に対して当該両測定値データファイルを相互に関連付ける関連付け情報を付与する。
【００１５】
請求項４記載のデータ記録装置は、請求項１から３のいずれかに記載のデータ記録装置において、前記処理部は、出力を指示された前記測定値データファイルの前記外部装置への出力と共に前記新たな測定値データファイルを生成する前記第１処理において、当該新たな測定値データファイルに記録する前記測定値の直前に出力された前記測定値を記録した前記測定値データファイルに記録されているすべての前記測定値を当該新たな測定値データファイルに記録する。
【００１６】
請求項５記載の測定システムは、請求項１から４のいずれかに記載のデータ記録装置と、前記測定装置とを備え、当該測定装置から出力される前記測定値を当該データ記録装置によって前記測定値データファイルに記録して前記外部装置に出力可能に構成されている。
【発明の効果】
【００１７】
請求項１記載のデータ記録装置では、処理部が、測定値データファイルへの第３処理による測定値の記録を終了する予め規定された終了条件が満たされる以前に測定値データファイルの外部装置への出力を指示されたときに、測定装置から順次出力される測定値を記憶部に記憶させる第２処理を継続して実行しつつ、出力を指示された測定値データファイルへの第３処理による測定値の記録を終了して測定値データファイルを外部装置に出力すると共に、出力した測定値データファイルへの記録を完了していない測定値を記録するための新たな測定値データファイルを生成して記憶部に記憶させる第１処理を実行する。また、請求項５記載の測定システムでは、上記のデータ記録装置および測定装置を備えて構成されている。
【００１８】
したがって、請求項１記載のデータ記録装置、および請求項５記載の測定システムによれば、測定装置による測定処理を停止させることなく、外部装置への出力を指示された時点において測定値を記録中であった測定値データファイルを外部装置に出力することができるため、測定処理の停止に伴う測定値の欠落を招くことなく、測定値データファイルを取得して任意の処理（測定値の閲覧や解析）を行うことができる。
【００１９】
請求項２記載のデータ記録装置では、処理部が、予め規定された数の測定値の第２処理による記憶部への記憶を完了する都度、第２処理を継続して実行しつつ、記録条件が満たされたと判別して第３処理を実行し、かつ終了条件が満たされる以前に測定値データファイルの外部装置への出力を指示されたときに、第２処理を継続して実行しつつ、予め規定された数の測定値の記憶部への記憶を完了した時点において記録条件が満たされたと判別して第３処理を実行した後に、出力を指示された測定値データファイルへの第３処理による測定値の記録を終了して測定値データファイルを外部装置に出力すると共に、新たな測定値データファイルを生成する第１処理を実行する。
【００２０】
したがって、請求項２記載のデータ記録装置、およびそのようなデータ記録装置を備えた測定システムによれば、外部装置への出力を指示された時点において測定された最新の測定値を含む測定値データファイルを外部装置に出力することができるため、例えば、測定対象の異常を検知して測定値データファイルを外部装置に出力させようとしたときに、その異常の状態を特定し得る測定値が記録された測定値データファイルを取得することができる。
【００２１】
請求項３記載のデータ記録装置、およびそのようなデータ記録装置を備えた測定システムによれば、処理部が、第３処理による測定値の記録を終了した測定値データファイルと、その後の第１処理によって生成した新たな測定値データファイルとの少なくとも一方に対して両測定値データファイルを相互に関連付ける関連付け情報を付与することにより、付与された関連付け情報に基づき、複数の測定値データファイルに跨がって記録されている各測定値を確実かつ容易に時系列に並べることができるため、外部装置に出力された各測定値データファイルに記録されている測定値の閲覧や解析を容易に行うことができる。
【００２２】
請求項４記載のデータ記録装置、およびそのようなデータ記録装置を備えた測定システムによれば、処理部が、出力を指示された測定値データファイルの外部装置への出力と共に新たな測定値データファイルを生成する第１処理において、新たな測定値データファイルに記録する測定値の直前に出力された測定値を記録した測定値データファイルに記録されているすべての測定値を新たな測定値データファイルに記録することにより、生成した新たな測定値データファイルを取得するだけで、測定値の記録を途中で終了させた測定値データファイルに記録されている測定値を含むすべての測定値を特定することができる。これにより、新たな測定値データファイルの取得を完了した時点において、測定値の記録を途中で終了させた測定値データファイルが不要となるため、測定値データファイルの管理が容易となる。
【図面の簡単な説明】
【００２３】
【図１】測定装置１の構成を示す構成図である。
【図２】処理部１６によるデータファイルＤｆ１，Ｄｆ２・・の生成処理について説明するための説明図である。
【図３】処理部１６によるデータファイルＤｆ１，Ｄｆ２・・の生成処理について説明するための他の説明図である。
【図４】処理部１６によるデータファイルＤｆ１，Ｄｆ２・・の生成処理について説明するためのさらに他の説明図である。
【図５】処理部１６によるデータファイルＤｆ１，Ｄｆ２・・の生成処理について説明するためのさらに他の説明図である。
【図６】処理部１６によるデータファイルＤｆ１，Ｄｆ２・・の生成処理について説明するためのさらに他の説明図である。
【図７】処理部１６によるデータファイルＤｆ１，Ｄｆ２・・の他の生成処理について説明するための説明図である。
【発明を実施するための形態】
【００２４】
以下、本発明に係るデータ記録装置および測定システムの実施の形態について、添付図面を参照して説明する。
【００２５】
図１に示す測定装置１は、「測定装置」および「データ記録装置」を一体的に備えて構成された「測定システム」の一例であって、測定対象についての任意の被測定量（一例として、電流値、電圧値、抵抗値、電力値および位相などの電気的パラメータ）の測定および測定結果の記録を実行することができるように構成されている。具体的には、測定装置１は、測定部１１、操作部１２、表示部１３、外部メモリ装着部１４、内部メモリ１５および処理部１６を備えて構成されている。
【００２６】
測定部１１は、処理部１６と相まって「測定装置」を構成し、処理部１６の制御に従って測定対象についての電気的パラメータを測定して測定値Ｄｓ（「測定値」の一例）を出力する。操作部１２は、測定装置１の動作条件の設定や、測定処理の開始／停止の指示を行うための複数の操作スイッチを備え、スイッチ操作に応じた操作信号を処理部１６に出力する。表示部１３は、処理部１６の制御に従って測定装置１の動作状態や処理部１６による測定結果などを示す表示画面（図示せず）を表示する。
【００２７】
外部メモリ装着部１４は、「外部装置」の一例であるメモリカード２を装着可能に構成され、後述するように、処理部１６の制御下で、データファイルＤｆ１，Ｄｆ２・・（「測定値データファイル」の一例：以下、区別しないときには「データファイルＤｆ」ともいう）などのメモリカード２への記録や、メモリカード２に記録されている各種のデータファイルの読出しなどを実行する。内部メモリ１５は、「記憶部」の一例であって、後述するように、測定値ＤｓやデータファイルＤｆなどを記憶する。
【００２８】
処理部１６は、「処理部」の一例であって、測定装置１を総括的に制御する。具体的には、処理部１６は、予め設定された測定条件、および操作部１２からの操作信号などに応じて測定部１１を制御して測定処理を実行させる。また、処理部１６は、測定部１１の制御と並行して、測定値Ｄｓを記録するためのデータファイルＤｆを生成して内部メモリ１５に記憶させる（「第１処理」の一例）。
【００２９】
さらに、処理部１６は、測定部１１から順次出力される測定値Ｄｓを内部メモリ１５に記憶させると共に（「第２処理」の一例）、後述する「予め規定された記録条件」が満たされたときに、内部メモリ１５に記憶されている測定値ＤｓをデータファイルＤｆに記録する（「第３処理」の一例）。この場合、本例の測定装置１では、一例として、測定部１１から出力される測定値Ｄｓを例えばリングバッファ形式で内部メモリ１５に一時的に記憶させると共に、記憶させた測定値Ｄｓが新たな測定値Ｄｓの上書きによって消去される以前にデータファイルＤｆへの記録が完了するような周期でデータファイルＤｆへの測定値Ｄｓの記録が実行される構成が採用されている。
【００３０】
また、処理部１６は、一例として、操作部１２の操作によってデータファイルＤｆのメモリカード２への記録を指示されたとき（「測定値データファイルの外部装置への出力を指示されたとき」の一例）に、内部メモリ１５からデータファイルＤｆを読み出してメモリカード２に記録する（「測定値データファイルを外部装置に出力する」との処理の一例）。
【００３１】
この測定装置１による測定処理（測定結果の記録処理）に際しては、一例として、操作部１２を操作して動作条件（測定条件および記録条件）を設定する。この際に、測定条件としては、一例として、測定対象についての電圧値を１００ｍｓ間隔のサンプリング周期でサンプリングし、１秒間にサンプリングされた値のうちの最大値を１秒間隔で測定値Ｄｓとして出力するとの測定条件を設定する。また、必要に応じて、測定処理の開始条件（開始日時や開始トリガ条件など）、および終了条件（終了日時や終了トリガ条件など）を設定する。
【００３２】
また、記録条件としては、測定部１１から１秒間隔で出力される測定値Ｄｓを１分毎にまとめてデータファイルＤｆに記録する（「予め規定された数」の一例である「６０個」の測定値Ｄｓを内部メモリ１５に記憶させる都度、それらをデータファイルＤｆに記録する）との条件を設定する。さらに、一例として、測定処理（記録処理）を継続している間は、１日に１つのデータファイルＤｆを生成し、午前０時以降に測定された測定値Ｄｓについては、新たなデータファイルＤｆに記録するとの条件を設定する。
【００３３】
次いで、測定対象に測定装置１を接続する。この状態で、設定された開始条件が満たされたとき、または、操作部１２の操作によって測定処理の開始を指示されたときに、処理部１６は、測定部１１から出力される測定値Ｄｓを記録するための最初のデータファイルＤｆ１を生成して内部メモリ１５に記憶させる（「第１処理」の実行）。なお、処理開始のこの時点においては、測定値Ｄｓが未記録のデータファイルＤｆ１が生成される。また、測定装置１による測定処理および記録処理についての理解を容易とするために、午前０時丁度に測定処理が開始されたものとする。
【００３４】
具体的には、午前０時となって開始条件が満たされたときに、処理部１６は、測定部１１を制御して、設定された測定条件に従って測定処理を開始させる。この際に、前述したように設定されている本例では、測定部１１が測定対象の電圧値を１００ｍｓ間隔のサンプリング周期でサンプリングすると共に、１秒間にサンプリングされた値のうちの最大値を測定値Ｄｓとして１秒間隔で出力する。一方、処理部１６は、測定部１１から測定値Ｄｓが出力される都度、その測定値Ｄｓを内部メモリ１５に記憶させる（「第２処理」の実行）。
【００３５】
また、処理部１６は、最初の測定値Ｄｓが測定部１１から出力されてから１分が経過した時点、すなわち、６０個の測定値Ｄｓの内部メモリ１５への記憶を完了したときに、測定部１１から１秒間隔で出力される測定値Ｄｓの内部メモリ１５への記憶処理を継続しつつ、設定された「記録条件」が満たされたと判別して、図２の左図に示すように、内部メモリ１５に記憶されている６０個の測定値Ｄｓ，Ｄｓ・・をデータファイルＤｆ１に記録する（「第３処理」の実行）。なお、同図、および以下の説明では、１分間隔でデータファイルＤｆに記録する６０個の測定値Ｄｓ，Ｄｓ・・を測定値Ｄｓ１，Ｄｓ２・・と称する。
【００３６】
また、処理部１６は、最初の測定値Ｄｓが測定部１１から出力されてから２分が経過した時点、すなわち、測定値Ｄｓ１をデータファイルＤｆ１に記録してから１分が経過して、新たな６０個の測定値Ｄｓの内部メモリ１５への記憶を完了したときに、測定部１１から１秒間隔で出力される測定値Ｄｓの内部メモリ１５への記憶処理を継続しつつ、「記録条件」が再び満たされたと判別して、図２の右図に示すように、内部メモリ１５に記憶されている新たな６０個の測定値Ｄｓ，Ｄｓ・・（測定値Ｄｓ２）をデータファイルＤｆ１に記録する（「第３処理」の実行）。
【００３７】
このような処理が継続して繰り返し実行されることにより、最初の測定値Ｄｓが測定部１１から出力されてから２４時間が経過した時点においては、図３に示すように、内部メモリ１５のデータファイルＤｆ１には、測定値Ｄｓ１〜Ｄｓ１４４０の８６，４００個の測定値Ｄｓ，Ｄｓ・・が記録された状態となる。
【００３８】
また、１日に１つのデータファイルＤｆを生成するように設定されている本例では、処理部１６が、測定部１１から１秒間隔で出力される測定値Ｄｓの内部メモリ１５への記憶処理を継続しつつ、データファイルＤｆ１に対するＤｓ１４４０の記録を完了した時点においてデータファイルＤｆ１への測定値Ｄｓの記録を終了し、２日目の測定値Ｄｓを記録するための新たなデータファイルＤｆ２を生成して内部メモリ１５に記憶させる。
【００３９】
この際に、処理部１６は、データファイルＤｆ２に記録される測定値Ｄｓ，Ｄｓ・・が、データファイルＤｆ１に記録されている測定値Ｄｓ１４４０に続く測定結果であることを特定可能とするために、一例として、データファイルＤｆ２のファイル名を予め規定されたファイル名決定手順に従って決定する（「関連付け情報を付与する」との処理の一例）。これにより、後に、データファイルＤｆ１，Ｄｆ２を見た者が、両データファイルＤｆに記録されている各測定値Ｄｓ，Ｄｓ・・の測定順序を確実かつ容易に特定することが可能となる。
【００４０】
さらに、処理部１６は、前述の最初の測定値Ｄｓが測定部１１から出力されてから２４時間と１分が経過した時点、すなわち、２日目の新たな６０個の測定値Ｄｓの内部メモリ１５への記憶を完了したときに、測定部１１から出力される測定値Ｄｓの内部メモリ１５への記憶処理を継続しつつ、設定された「記録条件」が満たされたと判別して、内部メモリ１５に記憶されている新たな６０個の測定値Ｄｓ，Ｄｓ・・（測定値Ｄｓ１）をデータファイルＤｆ２に記録する（「第３処理」の実行）。
【００４１】
この後、操作部１２の操作によって測定処理（記録処理）の停止を指示されるまで、または、設定された終了条件が満たされる状態となるまで、測定値Ｄｓの内部メモリ１５への記憶、および６０個の測定値ＤｓのデータファイルＤｆへの記録が繰り返し実行される。
【００４２】
また、本例の測定装置１では、停止の指示、または、終了条件が満たされる状態となる以前（「終了条件が満たされる以前」の一例）に、内部メモリ１５内のデータファイルＤｆをメモリカード２に記録する指示（「測定値データファイルの外部装置への出力の指示」の一例）が行われたときに、処理部１６が、以下のような処理を実行する。具体的には、一例として、処理開始から３日目の０時３分３０秒に、操作部１２の操作によって内部メモリ１５内のデータファイルＤｆをメモリカード２に記録する指示が行われたものとする。
【００４３】
この際には、図４に示すように、３日目の測定値Ｄｓ，Ｄｓ・・を記録するためのデータファイルＤｆ３は、０時３分に測定値Ｄｓ３の記録を完了し、０時４分に測定値Ｄｓ４を記録しようとしている状態、すなわち、データの記録中であって、読出しや削除が規制された状態となっている。このため、０時３分３０秒の時点においては、このデータファイルＤｆ３を読み出すことができず、複写をすることもできないため、データファイルＤｆ３をメモリカード２に移動したり複写したりすることができない。
【００４４】
一方、本例の測定装置１では、上記のように、内部メモリ１５内のデータファイルＤｆ１〜Ｄｆ３をメモリカード２に記録する指示が行われたとき（「第３処理」による測定値Ｄｓの記録を継続中のデータファイルＤｆ３を含むデータファイルＤｆのメモリカード２への記録を指示されたとき）に、処理部１６は、測定部１１から出力される測定値Ｄｓの内部メモリ１５への記憶処理を継続して実行し、０時４分に内部メモリ１５に新たな６０個の測定値Ｄｓ，Ｄｓ・・を記憶させたときに、「記録条件」が満たされたと判別し、新たな測定値Ｄｓ，Ｄｓ・・（測定値Ｄｓ４）をデータファイルＤｆ３に記録する（「第３処理」の実行）。
【００４５】
次いで、処理部１６は、測定値Ｄｓ４の記録を完了した上記のデータファイルＤｆ３への測定値Ｄｓの記録を終了すると共に、測定部１１から出力される測定値Ｄｓの内部メモリ１５への記憶処理を継続しつつ、メモリカード２への記録を指示されたデータファイルＤｆ１〜Ｄｆ３の３ファイルを内部メモリ１５から読み出して外部メモリ装着部１４からメモリカード２に記録させる（「測定値データファイルを外部装置に出力する」との処理の一例）。
【００４６】
これにより、外部メモリ装着部１４からメモリカード２を取り外して任意の情報処理端末に装着することにより、１日目の測定値Ｄｓ，Ｄｓ・・が記録されたデータファイルＤｆ１から、メモリカード２へのデータファイルＤｆの記録を指示した３日目の０時３分３０秒の時点の測定値Ｄｓ測定値を含む測定値Ｄｓ４までの測定値Ｄｓ，Ｄｓ・・が記録されたデータファイルＤｆ３までの３ファイルに記録された測定値Ｄｓ，Ｄｓ・・を情報処理端末によって閲覧したり解析したりすることが可能となる。
【００４７】
この場合、本例の測定装置１では、データファイルＤｆ１〜データファイルＤｆ３のファイル名が予め規定されたファイル名決定手順に従って決定されて各データファイルＤｆ１〜データファイルＤｆ３内の測定値Ｄｓの測定順序をファイル名から特定することができるため、測定開始時点から、３日目の０時４分までの測定値Ｄｓを確実かつ容易に時系列に並べて閲覧したり解析したりすることができる。
【００４８】
一方、処理部１６は、上記のようにデータファイルＤｆ３への測定値Ｄｓの記録終了およびデータファイルＤｆ１〜Ｄｆ３のメモリカード２への記録と共に、測定部１１から出力される測定値Ｄｓの内部メモリ１５への記憶処理を継続しつつ、図５に示すように、３日目の測定値Ｄｓ５以降の測定値Ｄｓ，Ｄｓ・・を記録する新たなデータファイルＤｆ４を生成して内部メモリ１５に記憶させる（「第１処理」の実行）。この際に、処理部１６は、データファイルＤｆ４に記録される測定値Ｄｓ，Ｄｓ・・が、データファイルＤｆ３に記録されている測定値Ｄｓ４に続く測定値Ｄｓ，Ｄｓ・・であることを特定可能とするために、データファイルＤｆ４のファイル名を予め規定されたファイル名決定手順に従って決定する（「関連付け情報を付与する」との処理の一例）。
【００４９】
この後、処理部１６は、停止の指示があるまで、または、設定された終了条件が満たされる状態となるまで、測定部１１から出力される測定値Ｄｓの内部メモリ１５への記憶処理、および新たな６０個の測定値Ｄｓ，Ｄｓ・・のデータファイルＤｆへの記録処理を繰り返し実行する。これにより、最初の測定値Ｄｓが測定部１１から出力されてから７２時間が経過した時点においては、図６に示すように、内部メモリ１５のデータファイルＤｆ４には、測定値Ｄｓ５〜Ｄｓ１４４０の８６，１６０個の測定値Ｄｓ，Ｄｓ・・が記録されると共に、４日目以降の測定値Ｄｓを記録するためのデータファイルＤｆ５が生成されて内部メモリ１５に記憶された状態となる。
【００５０】
このように、この測定装置１では、処理部１６が、データファイルＤｆへの「第３処理」による測定値Ｄｓの記録を終了する予め規定された「終了条件」が満たされる以前にデータファイルＤｆのメモリカード２への記録（外部装置への出力）を指示されたときに、測定部１１から順次出力される測定値Ｄｓを内部メモリ１５に記憶させる「第２処理」を継続して実行しつつ、出力を指示されたデータファイルＤｆへの「第３処理」による測定値Ｄｓの記録を終了してデータファイルＤｆをメモリカード２に記録すると共に、出力したデータファイルＤｆへの記録を完了していない測定値Ｄｓを記録するための新たなデータファイルＤｆを生成して内部メモリ１５に記憶させる「第１処理」を実行する。
【００５１】
したがって、この測定装置１によれば、測定部１１による測定処理を停止させることなく、メモリカード２への記録を指示された時点において測定値Ｄｓを記録中であったデータファイルＤｆをメモリカード２に記録することができるため、測定処理の停止に伴う測定値Ｄｓの欠落を招くことなく、データファイルＤｆを取得して任意の処理（測定値Ｄｓの閲覧や解析）を行うことができる。
【００５２】
また、この測定装置１では、処理部１６が、予め規定された数（本例では、６０個）の測定値Ｄｓの「第２処理」による内部メモリ１５への記憶を完了する都度、「第２処理」を継続して実行しつつ、「記録条件」が満たされたと判別して「第３処理」を実行し、かつ「終了条件」が満たされる以前にデータファイルＤｆのメモリカード２への記録を指示されたときに、「第２処理」を継続して実行しつつ、予め規定された数の測定値Ｄｓの内部メモリ１５への記憶を完了した時点において「記録条件」が満たされたと判別して「第３処理」を実行した後に、出力を指示されたデータファイルＤｆへの「第３処理」による測定値Ｄｓの記録を終了してデータファイルＤｆをメモリカード２に記録すると共に、新たなデータファイルＤｆを生成する「第１処理」を実行する。
【００５３】
したがって、この測定装置１によれば、メモリカード２への記録を指示された時点において測定された最新の測定値Ｄｓを含むデータファイルＤｆをメモリカード２に記録させることができるため、例えば、測定対象の異常を検知してデータファイルＤｆをメモリカード２に記録させようとしたときに、その異常の状態を特定し得る測定値Ｄｓが記録されたデータファイルＤｆを取得することができる。
【００５４】
さらに、この測定装置１によれば、処理部１６が、「第３処理」による測定値Ｄｓの記録を終了したデータファイルＤｆと、その後の「第１処理」によって生成した新たなデータファイルＤｆとの少なくとも一方に対して両データファイルＤｆを相互に関連付ける関連付け情報を付与する（本例では、両データファイルＤｆの関連性を特定可能なファイル名とする）ことにより、付与された「関連付け情報」（本例では、関連性を特定可能なファイル名）に基づき、複数のデータファイルＤｆに跨がって記録されている各測定値Ｄｓ，ＤＳ・・を確実かつ容易に時系列に並べることができるため、メモリカード２に記録された各データファイルＤｆに記録されている測定値Ｄｓ，Ｄｓ・・の閲覧や解析を容易に行うことができる。
【００５５】
なお、「データ記録装置」および「測定システム」の構成は、上記の測定装置１の構成の例に限定されない。データファイルＤｆへの測定値Ｄｓの記録中にそのデータファイルＤｆのメモリカード２への記録（外部装置への出力）を指示されたときに、その時点においてデータファイルＤｆに対する測定値Ｄｓの記録を終了させずに、新たな６０個の測定値Ｄｓの内部メモリ１５への記憶が完了して、その測定値ＤｓをデータファイルＤｆに記録したときに、そのデータファイルＤｆへの測定値Ｄｓの記録を終了してメモリカード２に記録する処理の例について説明したが、「データ記録装置」による処理の形態は、この例に限定されない。
【００５６】
例えば、データファイルＤｆへの測定値Ｄｓの記録中にそのデータファイルＤｆのメモリカード２への記録（外部装置への出力）を指示されたときに、そのデータファイルＤｆへの測定値Ｄｓの記録を直ちに終了してメモリカード２に記録し、メモリカード２へのデータファイルＤｆの記録を指示された時点の測定値Ｄｓについては、メモリカード２に記録したデータファイルＤｆとは異なる新たなデータファイルＤｆに記録する処理形態を採用することができる。
【００５７】
また、データファイルＤｆへの測定値Ｄｓの記録中にそのデータファイルＤｆのメモリカード２への記録（外部装置への出力）を指示されて、そのデータファイルＤｆをメモリカード２に記録したときに、新たなデータファイルＤｆには、メモリカード２への記録を完了したデータファイルＤｆに記録されている測定値Ｄｓを記録せずに、メモリカード２への記録を指示された以降の新たな測定値Ｄｓだけを記録する処理の例について説明したが、「データ記録装置」による処理の形態は、この例に限定されない。
【００５８】
具体的には、処理部１６が、メモリカード２への測定値Ｄｓの記録と共に新たなデータファイルＤｆを生成する「第１処理」において、新たなデータファイルＤｆに記録する測定値Ｄｓの直前に出力された測定値Ｄｓを記録したデータファイルＤｆに記録されているすべての測定値Ｄｓを新たなデータファイルＤｆに記録する構成を採用することができる。
【００５９】
より具体的には、図７に示すように、処理部１６が、一例として、測定値Ｄｓ４の記録を完了したデータファイルＤｆ３をメモリカード２に記録したときに、「新たなデータファイル」として、データファイルＤｆ３への記録を完了している測定値Ｄｓ１〜Ｄｓ４が記録されているデータファイルＤｆ３ａを生成して（データファイルＤｆ３を複製してデータファイルＤｆ３ａを生成して）内部メモリ１５に記憶させる処理を「第１処理」として実行する。
【００６０】
この際には、データファイルＤｆ３とデータファイルＤｆ３ａとの関係を特定可能な「関連付け情報」（一例として、両ファイルの関係を特定可能なファイル名）を付与するのが好ましい。また、処理部１６は、メモリカード２へのデータファイルＤｆ３の記録、および新たなデータファイルＤｆ３ａの生成が完了した後の測定値Ｄｓ（測定値Ｄｓ５，Ｄｓ６・・）については、データファイルＤｆ３ａの測定値Ｄｓ４に続けて記録する。
【００６１】
したがって、このような構成の測定装置１によれば、生成した新たなデータファイルＤｆ３ａを取得するだけで、測定値Ｄｓの記録を途中で終了させたデータファイルＤｆ３に記録されている測定値Ｄｓ１〜Ｄｓ４を含むすべての測定値Ｄｓ，Ｄｓを特定することができる。これにより、新たなデータファイルＤｆ３ａの取得を完了した時点において、測定値Ｄｓの記録を途中で終了させたデータファイルＤｆ３が不要となるため、データファイルＤｆの管理が容易となる。
【００６２】
さらに、予め規定された数（上記の例では、６０個）の測定値Ｄｓの内部メモリ１５への記憶を完了する都度、「記録条件」が満たされたとして、その測定値ＤｓをデータファイルＤｆに記録する「第３処理」を実行させる構成を例に挙げて説明したが、「第３処理」を実行する「記録条件」は、上記の例に限定されず、例えば、測定部１１から測定値Ｄｓが出力される都度、「記録条件」が満たされたと判別してデータファイルＤｆに記録したり、予め設定された信号レベルの測定値Ｄｓが測定部１１から出力される都度、「記録条件」が満たされたと判別してデータファイルＤｆに記録したりする構成を採用することもできる。
【００６３】
また、メモリカード２を「外部装置」としてデータファイルＤｆを出力する（記録する）例について説明したが、「外部装置」はこれに限定されず、パーソナルコンピュータ、タブレット端末およびスマートフォンなどの各種情報処理端末や、データファイルＤｆを生成した測定装置１とは異なる「測定装置」などを「外部装置」として、これらにデータファイルＤｆを出力する構成を採用することもできる。このような構成を採用した場合には、それらの装置に対するデータファイルＤｆの出力の指示が「測定値データファイルの外部装置への出力を指示されたとき」に相当する。
【００６４】
この場合、「外部装置」と「データ記録装置」との接続形態（「測定値データファイル」の出力形態）は、上記の例における測定装置１およびメモリカード２の構成の例のように、「データ記録装置」に対して「外部装置」を装着して「測定値データファイル」を出力する構成に限定されない。例えば、各種信号ケーブルを介して「データ記録装置」に「外部装置」を接続したり、無線ＬＡＮやブルートゥース（登録商標）に準じた無線通信路を介して「データ記録装置」に「外部装置」を接続したり、携帯電話通信網やインターネット通信網などのネットワーク通信網を介して「データ記録装置」に「外部装置」を接続したりして「データ記録装置」から「外部装置」に「測定値データファイル」を出力する構成を採用することができる。
【００６５】
また、「関連付け情報の付与」として、各データファイルＤｆのファイル名を予め規定されたファイル名決定手順に従って決定する構成を例に挙げて説明したが、このような構成に代えて（または、このような構成に加えて）、両データファイルＤｆ，Ｄｆの関連性を特定可能な情報を両データファイルＤｆ，Ｄｆの少なくとも一方に記録したり、両データファイルＤｆ，Ｄｆの関連性を特定可能な情報を記録した関連付けデータファイルを、両データファイルＤｆ、Ｄｆの少なくとも一方に関連付けて両データファイルＤｆ，Ｄｆとは別個に生成したりする構成を採用することもできる。
【００６６】
加えて、各種の電気的パラメータを測定可能な測定装置１の構成を例に挙げて説明したが、「測定装置」による測定および「データ記録装置」による記録の対象となるパラメータは上記の例に限定されず、温度、湿度、歪み、輝度（光度）、照度、雨量、流量、原子量・分子量・化学式量・化学当量、質量・物質量および気体の体積などの任意の被測定量を測定して記録可能に構成することができる。
【符号の説明】
【００６７】
１  測定装置
２  メモリカード
１１  測定部
１２  操作部
１３  表示部
１４  外部メモリ装着部
１５  内部メモリ
１６  処理部
Ｄｓ，Ｄｓ１，Ｄｓ２・・，Ｄｓ１４４０  測定値
Ｄｆ１，Ｄｆ２・・    データファイル
【図１】
2019074393.tif 000003
【図２】
2019074393.tif 000004
【図３】
2019074393.tif 000005
【図４】
2019074393.tif 000006
【図５】
2019074393.tif 000007
【図６】
2019074393.tif 000008
【図７】
2019074393.tif 000009